(57)【要約】【課題】放熱性に優れた半導体装置構造を提供する。【解決手段】配線基板１上に接着材２を用いて第１の放熱部材３を配置し、第１の放熱部材３上に接着材４を用いて半導体素子５を固着して、半導体素子５と配線基板１上の電極とをワイヤ６により接続する。半導体素子５とワイヤ６を覆う第２の放熱部材８を、第１の放熱部材３に導電性接着材７を用いて接合する。第２の放熱部材８の内側部分と、その上部平板状部８ｃを除いた外側部分とを、樹脂９によって封止し、半導体装置１００を得る。半導体素子５に於いて発生し第１の放熱部材３に伝導された熱は、その縁部３ｂのほか、導電性接着材７及び第２の放熱部材８を伝わり、その上部平板状部８ｃから放散される。【選択図】図１
2008071934.tif 000002
【特許請求の範囲】
【請求項１】
第一の放熱部材と、
前記第一の放熱部材上に配置された半導体素子と、
前記半導体素子上を覆い、且つ前記第一の放熱部材と熱的に結合された第二の放熱部材と、
前記半導体素子と第二の放熱部材との間に配設された絶縁部材と、
を有することを特徴とする半導体装置。
【請求項２】
前記第一の放熱部材は、前記半導体素子と電気的に接続される基板上に配置されていることを特徴とする請求項１記載の半導体装置。
【請求項３】
前記基板の前記半導体素子が搭載された位置に、放熱用貫通孔を有していることを特徴とする請求項２記載の半導体装置。
【請求項４】
前記基板および前記第一の放熱部材は、前記半導体素子が搭載された位置に、連通する孔を有していることを特徴とする請求項２記載の半導体装置。
【請求項５】
前記第一の放熱部材には、前記基板に設けられた電極に対応する位置に貫通する孔が設けられていることを特徴とする請求項２乃至４のいずれか一項に記載の半導体装置。
【請求項６】
前記第二の放熱部材には、前記第二の放熱部材を貫通する孔が形成されていることを特徴とする請求項１記載の半導体装置。
【請求項７】
前記第二の放熱部材は一部を残して樹脂で封止されていることを特徴とする請求項１乃至６のいずれか一項に記載の半導体装置。
【請求項８】
前記第一の放熱部材と前記第二の放熱部材とは、導電性接着材料を介して接合されていることを特徴とする請求項１乃至７のいずれか一項に記載の半導体装置。
【請求項９】
前記第一，第二の放熱部材が、溶接されていることを特徴とする請求項１乃至６のいずれか一項に記載の半導体装置。
【請求項１０】
基板上に第一の放熱部材を配設する工程と、
前記第一の放熱部材上に半導体素子を配置する工程と、
前記半導体素子と前記基板とを電気的に接続する工程と、
前記半導体素子を覆う第二の放熱部材を前記第一の放熱部材に接合する工程と、
を有することを特徴とする半導体装置の製造方法。
【発明の詳細な説明】
【技術分野】
【０００１】
本発明は半導体装置およびその製造方法に関し、特に放熱機構を備えた半導体装置およびその製造方法に関する。
【背景技術】
【０００２】
半導体装置の一つである半導体集積回路素子は、シリコン或いはガリウム砒素からなる半導体基板に形成されたトランジスタなどの能動素子、容量素子などの受動素子を相互に接続して形成された電子回路を含む。
【０００３】
当該半導体集積回路素子（半導体素子）は、樹脂などの絶縁体により封止されるか容器に収容されて気密封止され、前記電子回路の動作の安定化が図られる。
かかる半導体装置にあっては、その動作時に半導体素子から発生する熱を、外部へ放散する必要がある。
【０００４】
この為、従来は、例えば図４０に示す放熱構造が用いられていた。
同図４０は、所謂ＢＧＡ（Ball Grid Array）タイプの半導体装置４００を示している。
【０００５】
図４０（Ａ）は当該半導体装置４００の上面を示し、図４０（Ｂ）は（Ａ）のＸ−Ｘ断面を示す。
当該半導体装置４００にあっては、配線基板４０１上に、接着材４０２を介して半導体素子４０３が搭載され、当該半導体素子４０３の電極は、ボンディングワイヤ４０４により、前記配線基板４０１に設けられた端子４０１ａに接続されている。
【０００６】
また、当該半導体素子４０３上には、当該半導体素子４０３を覆って、配線基板４０１上に接着材４０５により固着された放熱部材（ヒートスプレッダ）４０６が配置されている。
【０００７】
そして、当該放熱部材４０６と半導体素子４０３との間、並びに当該放熱部材４０６外側面を覆って封止用樹脂４０７が配設されている。
一方、前記配線基板４０１の他方の主面、即ち半導体素子４０３の搭載面とは反対の面には、外部接続用端子４０８として、複数個の半田ボールが配設されている。
【０００８】
このような半導体装置４００に於いては、半導体素子４０３に於いて発生した熱は、主として半導体素子４０３を被覆している樹脂４０７を介して放熱部材４０６に伝わり、その上平面４０６ａから外部へと放散される。
【０００９】
この他、放熱機構を備えた半導体装置としては、配線基板に実装された半導体素子の上面側に第１の放熱部材を設けると共に、配線基板を貫通して半導体素子の裏面側に第２の放熱部材を設けてなるＢＧＡタイプの半導体装置（特許文献１参照）、或いは半導体素子を半田等を介して一対の平板の放熱部材間に配置した状態に於いて樹脂封止を行った半導体装置（特許文献２参照）が提案されている。
【特許文献１】特開２０００−２９４６９４号公報
【特許文献２】特開２００５−１０９５２６号公報
【発明の開示】
【発明が解決しようとする課題】
【００１０】
前述の如き所謂ＢＧＡタイプの半導体装置にあっては、半導体素子４０３及びこれを覆う放熱部材４０６を物理的・化学的に保護するために、配線基板４０１の半導体素子４０３実装面側の殆どが樹脂４０７により被覆される。
【００１１】
しかしながら、当該樹脂４０７は熱伝導性が比較的低く、半導体素子４０３に於いて生じた熱が放熱部材４０６を介して外部へ放散される効率を低下させる一因となっていた。
本発明はこの点に鑑みてなされたものであり、放熱性に優れた半導体装置およびその製造方法を提供することを目的とする。
【課題を解決するための手段】
【００１２】
本発明では上記課題を解決するために、第一の放熱部材と、前記第一の放熱部材上に配置された半導体素子と、前記半導体素子上を覆い、且つ前記第一の放熱部材と熱的に結合された第二の放熱部材と、前記半導体素子と第二の放熱部材との間に配設された絶縁部材とを有することを特徴とする半導体装置が提供される。
【００１３】
このような半導体装置によれば、第一の放熱部材上に半導体素子が配置され、その第一の放熱部材に第二の放熱部材が接合される。これにより、半導体素子で発生した熱は、第一の放熱部材に伝熱され、半導体素子を覆いかつ第一の放熱部材に接合された第二の放熱部材へ伝熱される。
【００１４】
また、本発明では、基板上に第一の放熱部材を配設する工程と、前記第一の放熱部材上に半導体素子を配置する工程と、前記半導体素子と前記基板とを電気的に接続する工程と、前記半導体素子を覆う第二の放熱部材を前記第一の放熱部材に接合する工程とを有することを特徴とする半導体装置の製造方法が提供される。
【００１５】
このような半導体装置の製造方法によれば、基板上に配設された第一の放熱部材上に半導体素子を配設して、その半導体素子と基板とを電気的に接続し、その第一の放熱部材に、半導体素子を覆う第二の放熱部材を接合する。これにより、半導体素子で発生した熱が、第一の放熱部材に伝熱され、第一の放熱部材から第二の放熱部材へ伝熱される半導体装置が形成される。
【発明の効果】
【００１６】
本発明にあっては、半導体素子を、基板上に配設された第一の放熱部材上に配置し、当該第一の放熱部材に対し、前記半導体素子を覆う第二の放熱部材が熱的に結合して配設される。
【００１７】
これにより、半導体素子に於いて発生した熱を、第一の放熱部材を介して第二の放熱部材に効率的に伝熱させることができ、放熱をより効率的に行うことができる。
従って、熱的に安定性の高い半導体装置を実現することができる。
【発明を実施するための最良の形態】
【００１８】
以下、本発明による半導体装置について、その実施の形態をもって詳細に説明する。
本発明による半導体装置の第１の実施の形態について、図面を用いて説明する。
図１は、当該第１の実施の形態に於ける半導体装置１００の断面を示す。また、図２は当該半導体装置１００の上面を示し、図３は当該半導体装置１００の下面を示す。
【００１９】
尚、図１は、図２並びに図３に於けるＸ−Ｘ断面を示している。
本実施例に於ける半導体装置１００にあっては、配線基板１の一方の主面、即ち半導体素子が搭載される面上に、エポキシ樹脂等の接着材２を介して、第１の放熱部材（ヒートスプレッダ）３が配設されている。尚、配線基板１に於ける配線パターンについては、図示することを省略している。
【００２０】
ここで、配線基板１は、ガラスエポキシ樹脂等の絶縁性基板の表面或いは内層に、銅（Ｃｕ）等の金属層からなる配線層を具備し、またその表面には電極端子１ａが配設されている。当該配線基板１は、インターポーザ、支持基板とも称される。
【００２１】
前記第１の放熱部材３は、図４に示されるように、平板状を有し、前記配線基板１上に配設されている電極端子１ａに対応する領域に、複数個（ここでは４つ）の開口３ａが設けられている。配線基板１上に当該放熱部材３が配設された状態では、開口３ａ内に前記電極端子１ａが表出される。
【００２２】
当該第１の放熱部材３は、銅（Ｃｕ）、Ｃｕ合金、アルミニウム（Ａｌ）合金、ステンレス、鉄（Ｆｅ）合金、或いはニッケル（Ｎｉ）合金等からなる板状部材を用いて構成されるが、熱伝導性のより高い材料が選択される。尚、前記開口３ａは、プレス法或いはエッチング法により形成される。
【００２３】
そして、当該第１の放熱部材３に於いて、前記開口３ａより内側に位置する部位３ｂには、ダイボンドフィルム等のシート状接着剤、或いはペースト状接着剤からなる接着材４を介して、半導体素子５が搭載・固着されている。即ち、部位３ｂは、半導体素子搭載部位となる。
【００２４】
半導体素子５の電極（図示せず）は、金（Ａｕ）からなるボンディングワイヤ６により前記配線基板１の端子１ａに接続されている。
また、前記第１の放熱部材３に於ける開口部３ａ間並びに外側の領域３ｃには、半田ペースト等の導電性接着材料７を用いて、第２の放熱部材８が固着されている。即ち、第１の放熱部材３と、第２の放熱部材８は熱的な結合が可能とされている。
【００２５】
当該第２の放熱部材８は、図６に示すように、平板状基部、略円錐状の傾斜面部及び上部平板状部から形成される台形状の空間を有するドーム形状を有し、前記半導体素子５及びボンディングワイヤ６を、これらから離間して覆っている。
【００２６】
当該第２の放熱部材８は、前記第１の放熱部材３と同様に、銅（Ｃｕ）、Ｃｕ合金、アルミニウム（Ａｌ）合金、ステンレス、鉄（Ｆｅ）合金、或いはニッケル（Ｎｉ）合金等からなる板状部材を、プレス法等を用いて加工し形成される。
【００２７】
当該第２の放熱部材８は、その平板状基部８ａが、導電性接着材７を介して前記第１の放熱部材３の開口部３ａ間並びに外側の領域３ｃ部分に固着されている。また当該第２の放熱部材８は、その略円錐状の傾斜面に複数個（図示される形態では４個）の貫通孔８ｂが配設されている。当該貫通孔８ｂは、半導体素子５周囲への、封止用樹脂９の流入を可能とする。
【００２８】
そして、当該第２の放熱部材８の台形状空間内に収容された半導体素子５、ボンディングワイヤ６、第２の放熱部材８の外側表面、及び前記第１の放熱部材３の露出表面が封止用樹脂９により被覆されて、前記半導体素子５は気密封止されている。
【００２９】
尚、第１の放熱部材３の周囲縁部３ｂ、並びに第２の放熱部材８の上部平板状部８ｃは、樹脂９から露出されている。
また、前記配線基板１の他方の主面（背面側）には、外部接続用端子１０として、複数個の半田ボールが配設されている。
【００３０】
このように、本発明の実施の態様１に於ける半導体装置１００にあっては、配線基板１の一方の主面上に第１の放熱部材３を配設し、当該第１の放熱部材３上に半導体素子５を搭載・配置している。
【００３１】
更に当該半導体素子５を覆って、前記第１の放熱部材３に対し熱的に結合された第２の放熱部材８を配設している。このような放熱部材の配設構成により、半導体素子５で発生した熱は、先ず第１の放熱部材３に効率的に伝導され、当該第１の放熱部材３が樹脂９から露出する縁部３ｂから放熱される。また当該第１の放熱部材３から導電性接着材７を介して第２の放熱部材８へも伝導され、当該第２の放熱部材８の露出する上部平板状部８ｃからも放熱される。
【００３２】
このように本実施の態様１に於ける半導体装置１００にあっては、第１の放熱部材３、第２の放熱部材８によって放熱経路が形成され、半導体素子５に於いて発生した熱は外部へ効率的に放散される。
【００３３】
尚、この半導体装置１００にあっては、半導体素子５で発生した熱が、その周囲の樹脂９を介して第２の放熱部材８に伝導され、第２の放熱部材８の上部平板状部８ｃから放熱される経路も存在する。
【００３４】
更に樹脂９を介して第２の放熱部材８に伝導された熱が、第１の放熱部材３に伝導され、その縁部３ｂから放熱される経路も存在する。
前述の如く、第２の放熱部材８は、半田ペースト等の導電性接着材７を用いて第１の放熱部材３に固着されている。従って、第１の放熱部材３と第２の放熱部材８との間の熱的結合即ち熱の伝導効率は非常に高い。
【００３５】
また、前記第１の放熱部材３が、配線基板１の一方の主面に配設されることにより、当該配線基板１の剛性が実質的に高められる。これにより、樹脂９を用いて封止する際などにも、当該配線基板１に反りなどを生じない。
【００３６】
従って、当該配線基板１の他方の主面に配設される複数個の外部接続用端子１０の平坦性を確保することができ、当該半導体装置１００を、電子機器の回路基板（所謂マザーボード）等へ容易に、且つ確実に実装することができる。
【００３７】
続いて、前記半導体装置１００の製造方法について説明する。図７乃至図１３に、製造工程の概要を示す。尚、当該図７乃至図１３のそれぞれに於いて、図（Ａ）は平面形状を模式的に示し、図（Ｂ）は図（Ａ）のＡ−Ａ断面を模式的に示す。
【００３８】
まず、図７に示すところの配線基板１を用意する。当該配線基板１は、ガラスエポキシ樹脂などからなる絶縁性基板を複数積層し、その表面及び内部に銅（Ｃｕ）等の金属層からなる配線層が形成された所謂多層配線層構造を有する。そして、後の工程に於いて半導体素子、第１の放熱部材が配置される側の表面（一方の主面）には端子２ａが配設され、また裏面（他方の主面）には、外部接続端子配設用の電極が配設されている。
【００３９】
次いで、前記配線基板１の一方の主面上に、エポキシ樹脂等を用いた液状接着剤或いはフィルム状接着剤からなる接着材２を配設する。かかる状態を、図８に示す。
当該接着材２は、配線基板１上の端子１ａを除く領域、即ち次工程に於いて搭載・固着される第１の放熱部材３の開口部３ａに対応する領域を除いた領域に選択的に配設される。
【００４０】
次いで、前記接着材２を用いて、配線基板１上に第１の放熱部材３を固着する。かかる状態を、図９に示す。この時、当該放熱部材３の開口３ａ内には、配線基板１上に配設された端子１ａが表出される。
【００４１】
次いで、前記放熱部材３の前記開口部３ａより内側に位置する部位３ｂに、ダイボンドフィルム等のシート状接着材或いはペースト状接着材からなる接着材４を介して、半導体素子５を搭載・配置する。かかる状態を、図１０に示す。
【００４２】
次いで、前記半導体素子５の電極パッド５ａと、配線基板１の端子１ａとの間を、ボンディングワイヤ６により接続する。かかる状態を、図１１に示す。
次いで、前記半導体素子５上を覆って第２の放熱部材８を配置し、その平板状基部８ａを半田ペースト等の導電性接着材７を用いて第１の放熱部材３に固着する。当該第２の放熱部材８は前述の如く、その外周側面に複数個の貫通孔８ｂを具備する。かかる状態を、図１２に示す。
【００４３】
次いで、封止用樹脂９の当該第２の放熱部材８の内側への充填、並びに当該樹脂９による第２の放熱部材８の外周面の被覆により、半導体素子５の気密封止（樹脂封止）処理を行う。
【００４４】
樹脂封止の際、樹脂９は、第２の放熱部材８に設けられた貫通孔８ｂを介して当該第２の放熱部材８の内側の空間へ流入し、半導体素子５はボンディングワイヤ６と共に樹脂封止される。この時、当該第２の放熱部材８は、その上側表面に於いて上部平板状部８ｃが露出された状態で封止される。
【００４５】
尚、かかる樹脂封止処理の際、前記第１の放熱部材３はその外周縁部３ｂが露出される状態で、樹脂９により被覆される。かかる状態を、図１３に示す。
しかる後、前記配線基板２の他方の主面（裏面）の所定位置に配設されている電極パッドに、外部接続用端子１０として半田ボールを配設し、前記図１に示す半導体装置１００を形成する。
【００４６】
尚、第１の放熱部材３、第２の放熱部材８としては、前述の如く、銅（Ｃｕ）、Ｃｕ合金、アルミニウム（Ａｌ）合金、ステンレス、鉄（Ｆｅ）合金、或いはニッケル（Ｎｉ）合金等の金属材料が適用されるが、熱伝導率、半導体素子５の発熱量、或いは半導体装置１００が実装される環境等を考慮して選択される。
【００４７】
また、第１の放熱部材３の厚さは、例えば、０．１５ｍｍ〜０．２５ｍｍ程度に設定することが可能であるが、熱伝導率、半導体装置１００の寸法、配線基板１の厚さ等を考慮し、一定の剛性を確保することができる厚さを選択する。
【００４８】
また、第２の放熱部材８は、その上部平板状部８ｃ部の厚さを０．３０ｍｍ以上に設定することが可能であるが、これも熱伝導率、半導体装置１００の寸法等を考慮してその厚さを選択する。
【００４９】
次に、本発明の第２の実施の形態について説明する。
当該第２の実施の形態の半導体装置１２０の構成を図１４に示す。尚、図１４に於いては、前記図１に示した構成要素と同一の要素については同じ符号を付し、その説明を省略する。
【００５０】
当該半導体装置１２０にあっては、第２の放熱部材８の、第一の放熱部材３に接する平板状基部８ａの外周縁部が、封止用樹脂９から露出されている。
尚、図示されていないが、当該第２の放熱部材２１には、第１の実施の形態と同様、その外周側面に複数個の貫通孔８ｂが配設されており、また平板状基部８ａの外周縁部、及び上部平板状部８ｃを残して、封止用樹脂９により封止されている。
【００５１】
このような構成を有する半導体装置１２０にあっては、半導体素子５に於いて発生し、第１の放熱部材３に伝導された熱は、半導体装置１２０の側部において、第１の放熱部材３の端部から放熱されると共に、第２の放熱部材８へ伝導されて、その平板状基部８ａの外周縁部からも放熱される。
【００５２】
更に、第２の放熱部材８に伝導された熱は、その上部平板状部８ｃからも放熱される。
また、半導体素子５で発生した熱が、樹脂９及び第２の放熱部材８に伝導されて、その平板状基部８ａの外周縁部及び上部平板状部８ｃから放熱される経路も存在する。
【００５３】
このように、第２の放熱部材８の平板状基部８ａの縁部を樹脂９から露出させることにより、半導体装置１２０の側部からの放熱効率を向上させることができる。
尚、このような半導体装置１２０は、平板状基部８ａの縁部が樹脂９から露出する寸法を有する第２の放熱部材８１を適用する点を除き、前記第１の実施の形態の半導体装置１００と同様の手順をもって形成することができる。
【００５４】
次に、本発明の第３の実施の形態について説明する。
当該第３の実施の形態の半導体装置１３０の構成を図１５に示す。図１５に於いても、前記図１に示した構成要素と同一の要素については同じ符号を付し、その説明を省略する。
【００５５】
当該半導体装置１３０にあっては、配線基板３１に於いて、端子３１ａに囲まれた半導体素子搭載領域にディプレス加工を施してその厚さを選択的に減じて凹部３１ｂを設けている。
【００５６】
そして、当該凹部３１ｂに、当該凹部３１ｂの形状・深さに対応させた凹部を具備する第１の放熱部材３２を配置している。
当該第１の放熱部材３２は、配線基板３１の端子３１ａに対応する領域に開口部３２ａを具備しており、また、その外周縁部３２ｂは、封止用樹脂９から露出している。
【００５７】
このような構成を有する半導体装置１３０にあっては、配線基板３１の、半導体素子５の搭載・固着領域に対応した部分にディプレス加工が施されて凹部が設けられ、当該凹部に半導体素子５を搭載することにより、当該半導体素子５は半導体装置内のより低い位置に配置される。
【００５８】
そして、これに対応して、高さを減じた第２の放熱部材８Ｌを適用することにより、当該半導体装置１３０は、前記第１、第２の実施の形態に於ける半導体装置１００或いは２００に比して、その厚さ（高さ）を減じることができる。
【００５９】
尚、図示されていないが、当該第２の放熱部材８Ｌには貫通孔８ｂが配設されており、また当該第２の放熱部材８Ｌは、上部平板状部８Ｌｃを表出して樹脂９により封止されている。
【００６０】
このように第２の放熱部材８Ｌの高さを低くすることができることから、半導体素子５に於いて生じた熱が第１の放熱部材３２を介して第２の放熱部材８Ｌの上部平板状部８Ｌｃに伝導する経路が短縮され、より高い放熱効果を得ることができる。
【００６１】
更に、このように高さが低くされた第２の放熱部材８Ｌを適用することにより、半導体素子５と第２の放熱部材８Ｌとの間の間隔が狭まり、半導体素子５に於いて発生した熱が、その周囲の樹脂９を介して第２の放熱部材８Ｌに伝導する経路も短縮される。
【００６２】
尚、当該半導体装置１３０は、ディプレス加工した配線基板３１、第１の放熱部材３２、並びに所定高さの第２の放熱部材８Ｌを予め準備する点を除いて、前記第１の実施の形態の半導体装置１００と同様の手順をもって形成することができる。
【００６３】
次に、本発明の第４の実施の形態について説明する。
当該第４の実施の形態の半導体装置１４０の構成を図１６に示す。図１６に於いても、図１に示した要素と同一の要素については同一の符号を付し、その説明の詳細は省略する。
【００６４】
当該半導体装置１４０にあっては、第１の放熱部材４１としてより厚い金属部材を適用している。
また、当該第１の放熱部材４１は、第１の実施の形態と同様、配線基板１の端子１ａに対応する領域に開口部４１ａを有しており、また、その縁部４１ｂは、封止用樹脂９から露出している。
【００６５】
第１の放熱部材４１の厚さは、第２の放熱部材８の上部平板状部８ｃ部分の厚さと同等の厚さに設定され、例えば０．３０ｍｍ以上の厚さとされる。
このような構成を有する半導体装置１４０にあっては、半導体素子５で発生した熱の、第１の放熱部材４１内に於ける伝導効率、及びその外周縁部４１ｂからの放熱効率を高めることができる。
【００６６】
尚、このような半導体装置１４０は、所定厚さの第１の放熱部材４１を準備することにより、前記第１の実施の形態に於ける半導体装置１００と同様の手順をもって形成することができる。
【００６７】
次に、本発明の第５の実施の形態について説明する。
当該第５の実施の形態の半導体装置１５０の構成を図１７に示す。図１７に於いても、図１に示した要素と同一の要素については同一の符号を付し、その説明の詳細は省略する。
【００６８】
当該半導体装置１５０にあっては、第１の放熱部材３と第２の放熱部材８とを、導電性接着材を介さずに、溶接法によって直接接合している。
溶接方法としては、例えばレーザ溶接を適用することができる。
【００６９】
第１の放熱部材３と第２の放熱部材８とを、溶接法によって結合することにより、当該第１の放熱部材３と第２の放熱部材８との間の伝熱効率をより向上させることができる。
更に、溶接法を適用することにより、接着剤に起因による不具合が発生せず、信頼性の高い半導体装置１５０を得ることができる。
【００７０】
尚、当該半導体装置１５０の形成の際には、第１の放熱部材３の中央部に配置した半導体素子５と、端子１ａとの間をボンディングワイヤ６により接続した後、当該第１の放熱部材３上に配置された第２の放熱部材８を溶接法によって接合する点を除き、前記第１の実施の形態の半導体装置１００と同様の手順をもって形成することができる。
【００７１】
次に、本発明の第６の実施の形態について説明する。
当該第６の実施の形態の半導体装置１６０の構成を図１８に示す。図１８に於いても、図１に示した要素と同一の要素については同一の符号を付し、その説明の詳細は省略する。
【００７２】
当該半導体装置１６０にあっては、半導体素子５が、導電性接着材６１を用いて第１の放熱部材３上に固着されている。
導電性接着材６１としては、例えば半田ペースト或いは銀（Ａｇ）ペースト等を適用することができる。
【００７３】
半導体素子５と第１の放熱部材３とを、導電性接着材６１を用いて接着することにより、エポキシ樹脂などの絶縁性接着材を用いた場合に比べ、半導体素子５から第１の放熱部材３への伝熱効率を向上させることができる。
【００７４】
尚、このような半導体装置１６０は、半導体素子固着（ダイス付け）工程に於いて導電性接着材６１を用いる点を除き、前記第１の実施の形態の半導体装置１００と同様の手順をもって形成することができる。
【００７５】
次に、本発明の第７の実施の形態について説明する。
当該第７の実施の形態の半導体装置１７０の構成を図１９に示す。図１９にあっても、図１に示した要素と同一の要素については同一の符号を付し、その説明の詳細は省略する。
【００７６】
当該半導体装置１７０にあっては、第２の放熱部材８に、その上部平板状部８ｃから内側の空間へ貫通する貫通孔（ＶＤホール）８ｄが配設されている。尚、第２の放熱部材８には、前記第１の実施の形態と同様、内側に封止用樹脂９を流入させるための貫通孔が設けられている（図示せず。）。当該第２の放熱部材８は、その上部平板状部８ｃを表出させて、樹脂９により被覆される。
【００７７】
このような構成を有する半導体装置１７０は、第２の放熱部材８の内側にある樹脂９、接着材２，５、配線基板１に含まれる水分などを、貫通孔８ｄを介して、外部に放出させることが可能になる。更に、貫通孔８ｄを配設することにより、当該第２の放熱部材８と樹脂９との接触面積が増加し、両者の間の密着力が高まり、半導体装置１７０の耐熱性を高めることができる。
【００７８】
また、貫通孔８ｄを配設することにより、第２の放熱部材８に生じる応力を緩和することが可能となり、配線基板１及び／或いは半導体装置１７０の反りの発生を効果的に防止することができる。
【００７９】
このような半導体装置１７０は、第２の放熱部材８に予め貫通孔８ｄを配設する点を除き、上記第１の実施の形態の半導体装置１００と同様の手順をもって形成することができる。尚、貫通孔（ＶＤホール）８ｄの配設位置及び個数は、図１９に示したものに限定されない。
【００８０】
次に、本発明の第８の実施の形態について説明する。
当該第８の実施の形態の半導体装置１８０の構成を図２０に示す。図２０にあっても、図１に示した要素と同一の要素については同一の符号を付し、その説明の詳細は省略する。また当該第８の実施の形態の半導体装置１８０に於ける第２の放熱部材を図２１に示す。
【００８１】
当該半導体装置１８０に於いては、第２の放熱部材８の側壁部分に、封止用樹脂９を流入させるための貫通孔８ｂの他に、複数のアンカーホール８ｅが配設される。
当該第２の放熱部材８１は、前記第１の実施の形態と同様、その上部平板状部８ｃを表出して、樹脂９により被覆・封止される。
【００８２】
このような構成を有する半導体装置１８０にあっては、第２の放熱部材８の側壁部分にアンカーホール８ｅが配設されていることにより、当該第２の放熱部材８と樹脂９との接触面積が増加する。これにより両者の密着力が高まり、半導体装置１８０の耐熱性を向上させることができる。
【００８３】
また、当該アンカーホール８ｅを配設することにより、当該第２の放熱部材８に生じる応力を緩和させることができ、更に第１の放熱部材３と第２の放熱部材８により、配線基板１及び／或いは半導体装置１８０の反りを効果的に防止することができる。
【００８４】
このような半導体装置１８０は、第２の放熱部材８に予めアンカーホール８ｅを配設する点を除き、上記第１の実施の形態の半導体装置１００と同様の手順をもって形成することができる。尚、第２の放熱部材８に於ける、アンカーホール８ｅの配設位置及び個数は、図２０、図２１に示した状態に限定されない。
【００８５】
次に、本発明の第９の実施の形態について説明する。
第９の実施の形態の半導体装置１９０の構成を図２２に示す。図２２にあっても、図１に示した要素と同一の要素については同一の符号を付し、その説明の詳細は省略する。
【００８６】
当該半導体装置１９０にあっては、配線基板９１上に配設される第１の放熱部材９２には、当該配線基板９１に於ける端子９１ａを表出する開口部９２ａの他に、複数個のアンカーホール９２ｂが配設されている。
【００８７】
また、当該配線基板９１と第１の放熱部材９２は、接着材を介することなく例えばレーザ溶接法によって結合されている。
このような構成を有する半導体装置１９０にあっては、第１の放熱部材９２にアンカーホール９２ａが配設されていることにより、封止用樹脂９は当該アンカーホール９２ａを介して配線基板９１と接することができる。
【００８８】
従って、当該樹脂９と、配線基板９１及び第１の放熱部材９２との接触面積が増加し、耐湿性、耐熱性を向上せしめることができる。
また、配線基板９１と放熱部材９２間には接着材が介在しないため，当該接着材に起因する不具合が発生せず、信頼性の高い半導体装置１９０が得られる。
【００８９】
ここで、当該第９の実施の形態である半導体装置１９０の形成方法について図面を用いて説明する。図２３乃至図２８に、製造工程の概要を示す。尚、当該図２３乃至図２８のそれぞれに於いて、図（Ａ）は平面形状を模式的に示し、図（Ｂ）は図（Ａ）のＢ−Ｂ断面を模式的に示す。
【００９０】
まず、図２３に示すような配線基板９１を用意する。当該配線基板９１には、半導体素子５の電極と接続される複数の端子９１ａが形成されている。また、当該配線基板９１には、後の工程に於いて第１の放熱部材９２をレーザ溶接によって接続（仮止め）するための、金属製接合部９１ｂが複数個（本例では９個）配設されている。
【００９１】
次いで、図２４に示されるように、前記配線基板９１の一方の主面上に、第１の放熱部材９２を載置し、当該第１の放熱部材９２に於けるレーザ照射ポイント９２ｃにレーザを照射して、配線基板９１の接合部９１ｂと溶融・一体化する。これにより、第１の放熱部材９２を配線基板９１上に仮止めする。
【００９２】
尚、同図に示されるように、当該第１の放熱部材９２には、前記レーザ照射ポイント９２ｃと共に、開口部９２ａ並びにアンカーホール９２ｂが予め配設されている。当該開口部９２ａは、前記配線基板９１に配設された端子９１ａを表出するよう配設される。
【００９３】
次いで、前記第１の放熱部材９２の開口部９２ｂより内側に位置する部位９２ｄに、ダイボンドフィルム等のシート状接着剤、或いはペースト状接着剤からなる接着材４を介して、半導体素子５を搭載・固着する。かかる状態を、図２５に示す。
【００９４】
次いで、前記半導体素子５の電極パッド５ａと、配線基板９１の端子９１ａとの間を、ボンディングワイヤ６により接続する。かかる状態を、図２６に示す。
次いで、前記半導体素子５を覆って第２の放熱部材８を配設し、半田ペースト等の導電性接着材７を用いて、第１の放熱部材９２上に固着する。かかる状態を、図２７に示す。
【００９５】
当該第２の放熱部材８と第１の放熱部材９２の一体化法としては、溶接法を適用することもできる。
次いで、当該第２の放熱部材８の内側及び外側を対象に、封止用樹脂８により気密封止（樹脂封止）処理を行う。
【００９６】
樹脂封止処理の際、樹脂９は、第２の放熱部材８に配設されている貫通孔８ｂを介して当該第２の放熱部材８の内側の空間へ流入し、前記半導体素子５はボンディングワイヤ６と共に樹脂封止される。
【００９７】
また、当該第２の放熱部材８は、その上部平板状部８ｃが露出された状態で封止される。
尚、樹脂封止処理の際、前記第１の放熱部材９２は、その外周縁部９２ｅが露出されるよう樹脂９により被覆される。かかる状態を、図２８に示す。
【００９８】
このとき、樹脂９は第１の放熱部材９２のアンカーホール９２ｂ内、並びに照射ポイント９２ｃ内へも流入する。これにより、当該第１の放熱部材９２と配線基板９１との一体化がより強固になされる。
【００９９】
しかる後、前記配線基板９１の他方の主面（裏面）の所定位置に配設されている電極パッドに対し、外部接続用端子１０として半田ボールを配設して半導体装置１９０を形成する。
【０１００】
次に、第１０の実施の形態について説明する。
当該第１０の実施の形態の半導体装置２００の構成を図２９に示す。図２９にあっても、前記図１に示した要素と同一の要素については同一の符号を付し、その説明の詳細は省略する。
【０１０１】
当該半導体装置２００にあっては、第１の放熱部材３に固着された半導体素子５の直下に位置する配線基板１０１部分に、放熱用貫通孔（サーマルビア）１０１ｂが複数個配設されている。
【０１０２】
当該放熱用貫通孔１０１ｂは、配線基板１０１に設けられた貫通孔内に、導電性物質例えばはんだ（半田）が充填されるか、或いは当該貫通孔の内周面に金属被覆例えば銅（Ｃｕ）めっき層が配設されて構成される。
【０１０３】
そして、当該放熱用貫通孔１０１ｂの一端は、導電性接着材１０２によって第１の放熱部材４と結合され、また当該放熱用貫通孔１０１ｂの他端は、放熱用端子（サーマルボール）１０３に接続されている。
【０１０４】
このような構成を有する半導体装置２００にあっては、半導体素子５に於いて発生し第１の放熱部材４に伝導された熱は、一つに導電性接着材１０２を介して放熱用貫通孔１０１ｂ、サーマルボール１０３へと伝導されて、当該サーマルボール１０３が接する、即ち当該半導体装置２００が実装されたマザーボードなど他の部位へ放熱される。
【０１０５】
また、当該半導体素子５から第１の放熱部材３に伝導された熱は、樹脂９から露出した縁部３ｂ及び／或いは第２の放熱部材８へも伝導し外部へ放出される。
このような導電性接着材１０２、放熱用貫通孔（サーマルビア）１０１ｂ及びサーマルボール１０３の配置により、当該半導体装置２００に於ける放熱性は向上する。
【０１０６】
尚、放熱用貫通孔（サーマルビア）１０１ｂ及びサーマルボール１０３の配設位置並びに個数は、図２９に示した形態に限定されない。
次に、第１１の実施の形態について説明する。
当該第１１の実施の形態の半導体装置２１０の構成を図３０に示す。図３０にあっても、前記図１に示した要素と同一の要素については同一の符号を付し、その説明の詳細は省略する。
【０１０７】
当該半導体装置２１０にあっては、半導体素子５の搭載部直下に位置するところの第１の放熱部材１１２及び配線基板１１１に、それぞれ貫通孔（ＶＤホール）１１１ｂ，１１２ｂが配設されている。両貫通孔１１ｂ，１１２ｂは連通している。
【０１０８】
そして、第１の放熱部材１１２は、配線基板１１１の端子１１１ａに対応する領域に開口部１１２ａを有し、また周囲縁部１１２ｂは封止用樹脂９から露出している。
このような構成を有する半導体装置２１０にあっては、第２の放熱部材８の内側に位置する樹脂８、接着材２，４、或いは配線基板１１１自体に含まれる水分を、当該貫通孔１１１ｂ，１１２ｂを介して外部に放出させることができる。
【０１０９】
当該貫通孔１１１ｂ，１１２ｂを介して水分を放出することにより、当該半導体装置２１０の耐湿性を向上させることができる。
また、半導体素子５に於いて発生し、第１の放熱部材１１２に伝導された熱の一部は、第１の放熱部材１１２と配線基板１１１に於ける貫通孔１１１ｂ，１１２ｂを介して、当該半導体装置２１０の外部へ放出される。
【０１１０】
更に、半導体素子５から第１の放熱部材１１２に伝導された熱は、樹脂９から露出した縁部１１２ｃ、第２の放熱部材８へも伝導して、半導体装置２１０の外部へ放出される。
尚、貫通孔（ＶＤホール）１１１ｂ，１１２ｂの配設位置並びに個数は、図３０に示した形態に限定されない。
【０１１１】
次に、第１２の実施の形態について説明する。
本実施形態にあっては、１枚の基板上に複数個の半導体装置を形成し、最終的に個片化処理を行って、複数個の半導体装置を形成する製造方法を開示する。
【０１１２】
図３１乃至図３９を用いて、かかる製造工程を説明する。尚、図３１乃至図３９のそれぞれに於いて、図（Ａ）は平面形状を模式的に示し、図（Ｂ）は図（Ａ）のＣ−Ｃ断面を模式的に示す。
【０１１３】
本実施形態にあっては、半導体素子搭載部が複数個、所謂マトリックス状に配列された大形（大判）の基板が適用される。当該大形（大判）の基板を図３１に示す。
当該大形（大判）の基板３０１には、半導体素子搭載部が４０個マトリックス状に配列されている。各半導体素子搭載部には、それぞれ端子３０１ａが配設されている。
【０１１４】
当該基板３０１は、ガラスエポキシ樹脂などからなる絶縁性基板を複数積層し、その表面及び内部に銅（Ｃｕ）等の金属層からなる配線層が形成された所謂多層配線層構造を有する。そして、半導体素子、第一の放熱部材が配置される側の表面（一方の主面）には前記端子３０１ａが配設され、また裏面（他方の主面）には、外部接続端子配設用の電極が配設されている。
【０１１５】
尚、半導体素子の構成・機能・規模によっては、当該基板３０１が多層配線層構造を必要としない場合もあり得る。
そして、当該大形（大判）の基板３０１上、即ち前記一方の主面には、前記端子部３０１ａに対応した開口が形成されるよう、即ち当該端子部３０１ａを除いて液状接着剤或いはフィルム状接着剤からなる接着材３０２が選択的に配設される。かかる状態を、図３２に示す。
【０１１６】
次いで、前記接着材３０２を介して、大形（大判）の基板３０１上には、銅（Ｃｕ）板或いはアルミニウム（Ａｌ）板からなる第１の放熱部材３０３を固着する。即ち、当該第１の放熱部材３０３は、前記接着材３０２により基板３０１上に固着される。かかる状態を、図３３に示す。
【０１１７】
当該第１の放熱部材３０３には、予め前記複数個の半導体素子の端子部３０１ａに対応した開口部３０３ａが配設されている。当該開口部３０３ａによりほぼ囲繞された領域３０３ｂは、それぞれ半導体素子搭載部となる。尚、当該第１の放熱部材３０３は、放熱性並びに基板３０１への影響を考慮して、その厚さが選択される。
【０１１８】
次いで、前記第１の放熱部材３０３に於ける、複数個の半導体素子搭載部のそれぞれに、ダイボンドフィルム等の接着材３０４を介して半導体素子３０５を搭載・固着する。かかる状態を、図３４に示す。
【０１１９】
次いで、当該半導体素子３０５の電極パッド３０５ａと、前記基板３０１に配設された端子部３０１ａとの間を、金（Ａｕ）からなるボンディングワイヤ３０６により接続する。当該ワイヤ接続処理は、当該基板３０１上に第１の放熱部材３０３を介して搭載された複数個の半導体素子３０５の全てに対して行われる。かかる状態を、図３５に示す。
【０１２０】
次いで、第１の放熱部材３０３上に、接着材３０７を介して、半導体素子３０５に対応して断面が台形状の空間を有するドーム状の凸部が複数個配設された第２の放熱部材３０８を、搭載・固着する。
【０１２１】
当該第２の放熱部材３０８に設けられるところの断面が台形状の空間を有するドーム状の凸部は、前記半導体素子３０５及び当該半導体素子３０５から導出されるボンディングワイヤ３０６に対し、これらから離間して覆う形状・寸法を有する。かかる状態を、図３６に示す。
【０１２２】
第２の放熱部材３０８に於ける断面が台形状の空間を有するドーム状の凸部は、その外周側面部に複数個の貫通孔３０８ｂを具備している。
しかる後、この様に一方の主面に第１の放熱部材３０３、半導体素子３０５、第２の放熱部材３０８などが固着された基板３０１を、樹脂モールド処理装置に装着し、当該基板３０１の一方の主面側に対し樹脂モールド処理を施す。
【０１２３】
モールド処理方法としては、周知のトランスファモールド法、或いはコンプレッョンモールド法を適用することができる。また、封止用樹脂としては、エポキシ系樹脂が適用される。
【０１２４】
かかるモールド処理により、前記第１の放熱部材３０３上に搭載された半導体素子３０５は、第２の放熱部材３０８に設けられた複数個の貫通孔３０８ｂを通して注入された樹脂３０９により封止される。
【０１２５】
また、第２の放熱部材３０８に於ける、断面が台形状の空間を有するドーム状の凸部は、その上部平板状部３０８ｃが表出された状態で樹脂３０９によって被覆される。
この時、隣接する断面が台形状の空間を有するドーム状の凸部間は、当該樹脂３０９によって埋められ被覆される。かかる状態を、図３７に示す。
【０１２６】
次いで、前記基板３０１の他方の主面、即ち被樹脂モールド面とは反対側の面に配設されている複数個の電極に対し、外部接続端子３１０を構成する半田ボールを配設する。かかる状態を、図３８に示す。
【０１２７】
しかる後、前記樹脂モールド部（樹脂被覆部）、放熱部材、基板などを、その厚さ方向（積層方向）に切断して、個々の半導体装置３５０に分離（個片化）する。
かかる切断処理により個片化された半導体装置３５０のそれぞれにあっては、外周側面部に第１の放熱部材３０３、第２の放熱部材３０８の端面が表出する。かかる状態を、図３９に示す。
【０１２８】
尚、切断する手段としては、ダイシングブレードを用いての切断、或いはレーザ光を用いる切断などを適宜選択することができる。
以上のように、本発明による半導体装置にあっては、配線基板上に第１の放熱部材を配設し、当該第１の放熱部材上に半導体素子を配置し、更に当該半導体素子を覆うように第２の放熱部材を配置する。当該第２の放熱部材は、第１の放熱部材に熱的に結合可能とされる。
【０１２９】
このような放熱部材の配設構造により、半導体素子に於いて発生した熱は、第１の放熱部材，第２の放熱部材へ有効に伝導され、外部へ効率的に放散される。
尚、前記実施の態様にあっては、第２の放熱部材の内側並びに外側を、封止用樹脂により被覆・封止する構成を示したが、当該第２の放熱部材の内側のみを当該樹脂により封止した構成とすることも可能である。
【０１３０】
かかる構成によれば、第２の放熱部材の外側表面全体が露出し、放熱効率をいっそう高めることができる。また、前記第２の放熱部材８に配設される貫通孔８ｄ，８ｅは、それぞれ別個に用いることに限られず、必要に応じて組み合わせて用いることができる。
【０１３１】
（付記１）  第一の放熱部材と、
前記第一の放熱部材上に配置された半導体素子と、
前記半導体素子上を覆い、且つ前記第一の放熱部材と熱的に結合された第二の放熱部材と、
前記半導体素子と第二の放熱部材との間に配設された絶縁部材と、
を有することを特徴とする半導体装置。
【０１３２】
（付記２）  前記第一の放熱部材は、前記半導体素子と電気的に接続される基板上に配置されていることを特徴とする付記１記載の半導体装置。
（付記３）  前記基板の前記半導体素子が搭載された位置に、放熱用貫通孔を有していることを特徴とする付記２記載の半導体装置。
【０１３３】
（付記４）  前記基板および前記第一の放熱部材は、前記半導体素子が搭載された位置に、連通する孔を有していることを特徴とする付記２記載の半導体装置。
（付記５）  前記第一の放熱部材には、前記基板に設けられた電極に対応する位置に貫通する孔が設けられていることを特徴とする付記２乃至４のいずれか一項に記載の半導体装置。
【０１３４】
（付記６）  前記第二の放熱部材には、前記第二の放熱部材を貫通する孔が形成されていることを特徴とする付記１記載の半導体装置。
（付記７）  前記第二の放熱部材は一部を残して樹脂で封止されていることを特徴とする付記１乃至６のいずれか一項に記載の半導体装置。
【０１３５】
（付記８）  前記第一の放熱部材と前記第二の放熱部材とは、導電性接着材料を介して接合されていることを特徴とする付記１乃至７のいずれか一項に記載の半導体装置。
（付記９）  前記第一，第二の放熱部材が、溶接されていることを特徴とする付記１乃至６のいずれか一項に記載の半導体装置。
【０１３６】
（付記１０）  前記第一，第二の放熱部材の接合部が、部分的に前記樹脂から露出していることを特徴とする付記７記載の半導体装置。
（付記１１）  前記第一の放熱部材は、前記半導体素子が配置される部分が、他の部分に対してディプレスされていることを特徴とする付記１乃至１０のいずれか一項に記載の半導体装置。
【０１３７】
（付記１２）  前記第一，第二の放熱部材が、同等の厚さを有していることを特徴とする付記１乃至１０のいずれか一項に記載の半導体装置。
（付記１３）  前記基板と前記第一の放熱部材との間の、前記放熱用貫通孔の上に、導電性接着材料が設けられていることを特徴とする付記３記載の半導体装置。
【０１３８】
（付記１４）  基板上に第一の放熱部材を配設する工程と、
前記第一の放熱部材上に半導体素子を配置する工程と、
前記半導体素子と前記基板とを電気的に接続する工程と、
前記半導体素子を覆う第二の放熱部材を前記第一の放熱部材に接合する工程と、
を有することを特徴とする半導体装置の製造方法。
【０１３９】
（付記１５）  前記第一，第二の放熱部材を接合する工程においては、前記第一，第二の放熱部材を、導電性接着材料を用いて接合することを特徴とする付記１４記載の半導体装置の製造方法。
【０１４０】
（付記１６）  前記第一，第二の放熱部材を接合する工程においては、前記第一，第二の放熱部材を、溶接によって接合することを特徴とする付記１４記載の半導体装置の製造方法。
【０１４１】
（付記１７）  前記基板上に前記第一の放熱部材を配設する工程においては、前記基板と前記第一の放熱部材とを、溶接によって接合することにより、前記基板上に前記第一の放熱部材を配設することを特徴とする付記１４記載の半導体装置の製造方法。
【０１４２】
（付記１８）  前記第二の放熱部材を前記第一の放熱部材に接合する工程後に、前記第一，第二の放熱部材の一部を残して樹脂で封止する工程を有することを特徴とする付記１４記載の半導体装置の製造方法。
【図面の簡単な説明】
【０１４３】
【図１】本発明による半導体装置の第１の実施の形態を示す断面模式図。
【図２】本発明による半導体装置の第１の実施の形態を示す平面模式図。
【図３】本発明による半導体装置の第１の実施の形態を示す背面模式図。
【図４】第１の放熱部材の平面模式図。
【図５】第２の放熱部材の平面模式図。
【図６】第２の放熱部材の斜視模式図。
【図７】本発明による半導体装置の第１の実施の形態に適用する配線基板の平面模式図（Ａ）、断面模式図（Ｂ）。
【図８】配線基板上に接着材料を形成した状態を示す平面模式図（Ａ）、断面模式図（Ｂ）。
【図９】配線基板上に第１の放熱部材を配設した状態を示す平面模式図（Ａ）、断面模式図（Ｂ）。
【図１０】第１の放熱部材上に半導体素子を固着した状態を示す平面模式図（Ａ）、断面模式図（Ｂ）。
【図１１】半導体素子に対するワイヤボンディング状態を示す平面模式図（Ａ）、断面模式図（Ｂ）。
【図１２】第２の放熱部材を配設した状態を示す平面模式図（Ａ）、断面模式図（Ｂ）。
【図１３】第１の実施の形態に於ける樹脂封止構造を示す平面模式図（Ａ）、断面模式図（Ｂ）。
【図１４】本発明による半導体装置の第２の実施の形態を示す断面模式図。
【図１５】本発明による半導体装置の第３の実施の形態を示す断面模式図。
【図１６】本発明による半導体装置の第４の実施の形態を示す断面模式図。
【図１７】本発明による半導体装置の第５の実施の形態を示す断面模式図。
【図１８】本発明による半導体装置の第６の実施の形態を示す断面模式図。
【図１９】本発明による半導体装置の第７の実施の形態を示す断面模式図。
【図２０】本発明による半導体装置の第８の実施の形態を示す断面模式図。
【図２１】本発明による半導体装置の第８の実施の形態に於いて適用される第２の放熱部材の斜視模式図。
【図２２】本発明による半導体装置の第９の実施の形態を示す断面模式図。
【図２３】本発明による半導体装置の第９の実施の形態に適用する配線基板の平面模式図（Ａ）、断面模式図（Ｂ）。
【図２４】配線基板上に第１の放熱部材を配設した状態を示す平面模式図（Ａ）、断面模式図（Ｂ）。
【図２５】第１の放熱部材上に半導体素子を固着した状態を示す平面模式図（Ａ）、断面模式図（Ｂ）。
【図２６】半導体素子に対するワイヤボンディング状態を示す平面模式図（Ａ）、断面模式図（Ｂ）。
【図２７】第２の放熱部材を配設した状態を示す平面模式図（Ａ）、断面模式図（Ｂ）。
【図２８】第９の実施の形態に於ける樹脂封止構造を示す平面模式図（Ａ）、断面模式図（Ｂ）。
【図２９】本発明による半導体装置の第１０の実施の形態を示す断面模式図。
【図３０】本発明による半導体装置の第１１の実施の形態を示す断面模式図。
【図３１】本発明による半導体装置の第１２の実施の形態に適用する配線基板の平面模式図（Ａ）、断面模式図（Ｂ）。
【図３２】配線基板上に接着材料を形成した状態を示す平面模式図（Ａ）、断面模式図（Ｂ）。
【図３３】配線基板上に第１の放熱部材を配設した状態を示す平面模式図（Ａ）、断面模式図（Ｂ）。
【図３４】第１の放熱部材上に半導体素子を固着した状態を示す平面模式図（Ａ）、断面模式図（Ｂ）。
【図３５】半導体素子に対するワイヤボンディング状態を示す平面模式図（Ａ）、断面模式図（Ｂ）。
【図３６】第２の放熱部材を配設した状態を示す平面模式図（Ａ）、断面模式図（Ｂ）。
【図３７】第１２の実施の形態に於ける樹脂封止構造を示す平面模式図（Ａ）、断面模式図（Ｂ）。
【図３８】配線基板の他方の種面に外部接続用端子を配設した状態を示す平面模式図（Ａ）、断面模式図（Ｂ）。
【図３９】第１２の実施の形態に於ける個片化処理を示す平面模式図（Ａ）、断面模式図（Ｂ）。
【図４０】従来の半導体装置の一例を示す平面模式図（Ａ）、断面模式図（Ｂ）。
【符号の説明】
【０１４４】
１００，１２０，１３０，１４０，１５０，１６０，１７０，１８０，１９０，２００，２１０，３５０，４００  半導体装置
１，３１，９１，１０１，１１１，１２０  配線基板
１ａ，３１ａ，９１ａ，１０１ａ，１１１ａ，１２０ａ  端子
２，５，１２１，１２３  接着材料
３，３２，４１，９２，１１２，１２２  第１の放熱部材
３ａ，３２ａ，４１ａ，９２ｂ，１１２ｂ，１２２ａ  開口部
３ｂ，２１ａ，３２ｂ，４１ｂ，９２ｄ，１１２ｃ  縁部
５，１２４  半導体素子
７，１２５  ワイヤ
８，６１，１０２，１２７  導電性接着材料
９，２１，３３，７１，８１，１２６  第２の放熱部材
９ａ，８１ａ，１２６ａ  孔
９ｂ，２１ｂ，３３ａ，７１ａ，８１ｃ，１２６ｂ  上面
１０，１２８  樹脂
１１，１２９  半田ボール
７１ｂ，１１１ｂ，１１２ａ  ＶＤホール
８１ｂ，９２ａ  アンカーホール
９１ｂ  溶接端子
９２ｃ  レーザ照射ポイント
１０１ｂ  サーマルビア
１０３  サーマルボール
１２４ａ，３０５ａ  パッド
【図１】
2008071934.tif 000003
【図２】
2008071934.tif 000004
【図３】
2008071934.tif 000005
【図４】
2008071934.tif 000006
【図５】
2008071934.tif 000007
【図６】
2008071934.tif 000008
【図７】
2008071934.tif 000009
【図８】
2008071934.tif 000010
【図９】
2008071934.tif 000011
【図１０】
2008071934.tif 000012
【図１１】
2008071934.tif 000013
【図１２】
2008071934.tif 000014
【図１３】
2008071934.tif 000015
【図１４】
2008071934.tif 000016
【図１５】
2008071934.tif 000017
【図１６】
2008071934.tif 000018
【図１７】
2008071934.tif 000019
【図１８】
2008071934.tif 000020
【図１９】
2008071934.tif 000021
【図２０】
2008071934.tif 000022
【図２１】
2008071934.tif 000023
【図２２】
2008071934.tif 000024
【図２３】
2008071934.tif 000025
【図２４】
2008071934.tif 000026
【図２５】
2008071934.tif 000027
【図２６】
2008071934.tif 000028
【図２７】
2008071934.tif 000029
【図２８】
2008071934.tif 000030
【図２９】
2008071934.tif 000031
【図３０】
2008071934.tif 000032
【図３１】
2008071934.tif 000033
【図３２】
2008071934.tif 000034
【図３３】
2008071934.tif 000035
【図３４】
2008071934.tif 000036
【図３５】
2008071934.tif 000037
【図３６】
2008071934.tif 000038
【図３７】
2008071934.tif 000039
【図３８】
2008071934.tif 000040
【図３９】
2008071934.tif 000041
【図４０】
2008071934.tif 000042